(57)【要約】【課題】ホット飲料、コールド飲料、アイス飲料、湯及び氷水などの多様な飲料を供給することにより消費者の多様な好みを満足させ、１回用包装ミックス原料を使用することにより衛生的で掃除の問題点がなく、メンテナンス及び運営の便利性を図った飲料供給装置を提供する。【解決手段】本発明に係る飲料供給装置１００は、飲料取出口１１１、１回用包装ミックス原料取出口１１２及びカップ取出口１１３が備えられる本体１１０と、飲料取出口１１１を通して冷水及び温水を供給するよう本体に設けられる冷温水供給ユニット１３０と、１回用包装ミックス原料取出口１１２を通して１回用包装ミックス原料を供給するよう本体１１０に設けられる１回用包装ミックス原料供給ユニット１４０と、カップ取出口１１３を通してカップを供給するよう本体１１０に設けられるカップ供給ユニット１５０と、飲料取出口１１１を通して氷を供給するために本体１１０に設けられる製氷ユニット１６０と、製氷ユニット１６０と連結される冷却ユニット１７０と、各ユニットを制御するための制御ユニットを含む。【選択図】      図１
2004303182.tif 000002
【特許請求の範囲】
【請求項１】
飲料取出口、１回用包装ミックス原料取出口及びカップ取出口が備えられる本体と、
前記飲料取出口を通して冷水及び温水を供給するよう前記本体に設けられる冷温水供給ユニットと、
前記１回用包装ミックス原料取出口を通して１回用包装ミックス原料を供給するよう前記本体に設けられる１回用包装ミックス原料供給ユニットと、
前記カップ取出口を通してカップを供給するよう前記本体に設けられるカップ供給ユニットと、
前記飲料取出口を通して氷を供給するために前記本体に設けられる製氷ユニットと、
該製氷ユニットと連結される冷却ユニットと、
前記各ユニットを制御するための制御ユニットと、を含むことを特徴とする飲料供給装置。
【請求項２】
前記冷温水供給ユニット及び前記製氷ユニットに水を供給するための貯水タンクを備えることを特徴とする請求項１に記載の飲料供給装置。
【請求項３】
前記貯水タンクは給水バルブを通して外部給水施設と連結されることを特徴とする請求項２に記載の飲料供給装置。
【請求項４】
前記貯水タンクには貯水の水位を感知するための水位感知センサが設けられ、該水位感知センサにより前記給水バルブが開閉されることにより前記貯水タンクの水位が自動に調節されることを特徴とする請求項３に記載の飲料供給装置。
【請求項５】
前記貯水タンクは外部から水の供給を受けるための水桶連結開口部を備えることを特徴とする請求項２に記載の飲料供給装置。
【請求項６】
金銭を投入するための金銭ユニットを含み、前記制御ユニットは前記金銭ユニットに所定金額が投入される場合だけ構成ユニットの一部または全体が作動されることを特徴とする請求項１に記載の飲料供給装置。
【請求項７】
前記冷温水供給ユニットに貯留されている冷水、温水及び前記製氷ユニットに貯蔵されている氷を選択的に投出させるための第１選択ボタン部を含むことを特徴とする請求項１に記載の飲料供給装置。
【請求項８】
前記１回用包装ミックス原料供給ユニットに収納されている各種１回用包装ミックス原料を選択するための第２選択ボタン部を含むことを特徴とする請求項１に記載の飲料供給装置。
【発明の詳細な説明】
【０００１】
【発明の属する技術分野】本発明は飲料供給装置に係り、さらに詳しくは１回用包装ミックス原料、カップ及び飲用水を排出することができる機能を具備することにより多様な飲料の供給が可能であり、消費者の便宜を図った飲料供給装置に関する。
【０００２】
【従来の技術】
現在事務室や食堂などに設けられている小型コーヒー自動販売機（ＯＣＳ  ｏｐｅｒａｔｏｒｓ）などの飲料供給装置は消費者にコーヒーやお茶などの飲料を供給するサービス機器であって、原料格納箱に入っているコーヒーやお茶などの原料を飲用水と共にカップに投出させ消費者に供給する構成よりなっている。
【０００３】
前述したような従来の飲料供給装置は主としてコーヒーや茶などのホット飲料だけを供給するようになっていて、コールド飲料やアイス飲料を好む消費者の多様なニーズを満足させられない。
【０００４】
また、前記小型コーヒー自動販売機はコーヒーやお茶などの飲料以外に水だけを供給できないため、湯や冷水または氷水を欲しがる消費者のためには別の冷温水器や製氷機を設けるべき問題点がある。
【０００５】
【発明が解決しようとする課題】
本発明は前述したような問題点を解決するために案出されたもので、ホット飲料、コールド飲料、アイス飲料、湯及び冷水などの多様な飲料を供給することにより消費者の多様な好みに確実に応じることができ、１回用包装ミックス原料を使用することにより衛生的で掃除の問題がなくてメンテナンス及び運営の便利性を図った飲料供給装置を提供するところにある。
【０００６】
【課題を解決するための手段】
前述した目的を達成するための本発明に係る飲料供給装置は、飲料取出口、１回用包装ミックス原料取出口及びカップ取出口が備えられる本体と、前記飲料取出口を通して冷水及び温水を供給するよう前記本体に設けられる冷温水供給ユニットと、前記１回用包装ミックス原料取出口を通して１回用包装ミックス原料を供給するよう前記本体に設けられる１回用包装ミックス原料供給ユニットと、前記カップ取出口を通してカップを供給するよう前記本体に設けられるカップ供給ユニットと、前記飲料取出口を通して氷を供給するために前記本体に設けられる製氷ユニットと、該製氷ユニットと連結される冷却ユニット、及び前記各ユニットを制御するための制御ユニットとを含むことを特徴とする。
【０００７】
前述した構成を有する本発明に係る飲料供給装置は、前記冷温水供給ユニット及び前記製氷ユニットに水を供給するための貯水タンクを備えることが望ましい。
【０００８】
そして、前記貯水タンクは給水バルブを通して外部給水施設と連結されることが望ましい。
【０００９】
また、前記貯水タンクには貯水の水位を感知するための水位感知センサが設けられ、前記水位感知センサにより前記給水バルブが開閉されることにより前記貯水タンクの水位が自動に調節されることが望ましい。
【００１０】
そして、前記貯水タンクは外部から水を供給されるための水桶連結開口部を備えることが良い。
【００１１】
また、前記本発明に係る飲料供給装置は、金銭を投入するための金銭ユニットをオプションとして含め、前記制御ユニットは前記金銭ユニットと連携して所定金額が投入される場合だけ構成ユニットの一部または全体が作動されるようにすることもできる。
【００１２】
そして、前記本発明に係る飲料供給装置は、冷温水供給ユニットに貯留されている冷水、温水及び前記製氷ユニットに貯蔵されている氷を選択的に投出させるための第１選択ボタン部及び前記１回用包装ミックス原料供給ユニットに格納されている各種１回用包装ミックス原料を選択するための第２選択ボタン部を含むことができる。
【００１３】
【発明の実施の形態】
以下、添付した図面に基づき本発明の望ましい実施例による飲料供給装置について詳述する。
【００１４】
図１ないし図４に示されている通り、本発明に係る飲料供給装置１００は、本体１１０と、貯水タンク１２０と、冷温水供給ユニット１３０と、１回用包装ミックス原料供給ユニット１４０と、カップ供給ユニット１５０と、製氷ユニット１６０と、冷却ユニット１７０と、制御ユニット１８０とを含む。
【００１５】
本体１１０は冷温水供給ユニット１３０及び製氷ユニット１６０から供給される冷温水及び氷が投出される飲料取出口１１１と、１回用包装ミックス原料供給ユニット１４０に格納されている１回用包装ミックス原料を投出させるための１回用包装ミックス原料取出口１１２と、カップ供給ユニット１５０に積載されているカップを排出させるためのカップ取出口１１３が備えられる。また、本体１１０の一側には硬貨及び／または紙幣などのお金を投入できる金銭ユニット１９０が設けられたり、金銭ユニット１９０の下部にはお釣り返却口１１４が備えられる。また、本体１１０の外部面には第１及び第２選択ボタン部１１５、１１６が備えられる。ここで、第１選択ボタン部１１５は飲料取出口１１１の上部に設けられ、冷水ボタン１１５ａ、温水ボタン１１５ｂ及び氷ボタン１１５ｃを含む。消費者はボタン１１５ａ、１１５ｂ、１１５ｃを用いて冷温水供給ユニット１３０に貯留されている冷水や温水、製氷ユニット１６０に貯蔵されている氷を選択して飲料取出口１１１を通して排出させうる。そして、第２選択ボタン部１１６は１回用包装ミックス原料供給ユニット１４０に格納されている各種お茶やコーヒーを含む１回用包装ミックス原料を選択することができる複数の１回用包装ミックス原料ボタン１１６ａ、１１６ｂ、１１６ｃを含む。
【００１６】
貯水タンク１２０は冷温水供給ユニット１３０及び製氷ユニット１６０に水を供給するためのもので、所定量の水を貯水する。貯水タンク１２０の上部には水桶Ｔが結合できる水桶連結開口部１２０ａが備えられる。水桶Ｔは現在販売中の通常のものが用いられ、水桶Ｔを逆にして水桶連結開口部１２０ａに結合させることにより水桶Ｔの水が貯水タンク１２０に供給される。また、水桶Ｔなしで貯水タンク１２０には外部の給水システムと連結される給水管１２１が連結され、給水管１２１には給水バルブ１２２が設けられる。給水バルブ１２２が開放されれば給水システムの水が給水管１２１を通して貯水タンク１２０に供給される。給水バルブ１２２は貯水タンク１２０に設けられている水位感知センサ１２３により自動に開閉されながら、貯水タンク１２０に貯水された水が一定量を維持できるよう水を供給する。
【００１７】
冷温水供給ユニット１３０は冷水及び温水を供給するためのもので、冷水槽１３１及び温水槽１３２を含む。冷水槽１３１は冷却ユニット１７０と連結され、貯水タンク１２０から供給された水を冷却させ貯留していてから飲料取出口１１１に冷水を排出させる。そして、温水槽１３２は電熱線などのヒータ装置を備え、貯水タンク１２０から供給された水を加熱して貯留していてから飲料取出口１１１に温水を排出させる。
【００１８】
１回用包装ミックス原料供給ユニット１４０はコーヒーやお茶などの各種１回用包装ミックス原料ｐ１、ｐ２、ｐ３を格納しており、消費者が第２選択ボタン部１１６の１回用包装ミックス原料ボタン１１６ａ、１１６ｂ、１１６ｃを押して選択した１回用包装ミックス原料を１回用包装ミックス原料取出口１１２を通して投出させる。
【００１９】
カップ供給ユニット１５０はカップを供給するためのもので、複数のカップＣを積層して保管する。消費者はカップ供給ユニット１５０に積層されているカップＣをカップ取出口１１３を通して一つずつ抜き取って使用する。カップ供給ユニット１５０は飲料供給装置１００の構成が複雑にならないよう、積層されているカップが消費者により一つずつ取出される手動式になることが望ましいが、場合によってはカップが自動に排出される自動式になれる。
【００２０】
製氷ユニット１６０は氷を供給するためのもので、貯水タンク１２０から供給された水を凍らせて貯蔵していてから氷排出管１６１を通して飲料取出口１１１に氷を排出させる。製氷ユニット１６０は内部に所定体積の貯蔵庫１６２を備えており、この貯蔵庫１６２に保管された氷が一定量を維持できるよう自動的に作動しつつ氷を作り出す。
【００２１】
冷却ユニット１７０は冷水槽１３１及び製氷ユニット１６０と連結され、圧縮機１７１、凝縮機１７２、第１及び第２蒸発器１７３ａ、１７３ｂを含む。圧縮機１７１及び凝縮機１７２を通過した冷媒は第１及び第２膨張バルブ１７４ａ、１７４ｂ側に分岐されそれぞれ流れ込まれる。そして、第１膨張バルブ１７４ａに流入された冷媒は冷水槽１３１に設けられている第１蒸発器１７３ａを通過して圧縮機１７１に戻り、第２膨張バルブ１７４ｂに流入された冷媒は製氷ユニット１６０に設けられている第２蒸発器１７３ｂを通過して圧縮機１７１に戻る。この際、各蒸発器１７３ａ、１７３ｂを通過する冷媒はそれぞれの蒸発器１７３ａ、１７３ｂ周囲と熱交換を行ない、このような冷媒の熱交換による冷却作用により冷水槽１３１内の水は冷却され、製氷ユニット１６０に供給された水は結氷され氷になる。
【００２２】
制御ユニット１８０は製氷ユニット１６０、冷温水供給ユニット１３０及び包装ミックス供給ユニット１４０の作動を制御し、金銭ユニット１９０と第１及び第２選択ボタン部１１５、１１６と連結されうる。金銭ユニット１９０を通して所定金額が投入される場合、制御ユニット１８０は飲料供給装置１００が飲料供給待機状態になるようにする。飲料供給待機状態は第１選択ボタン部１１５及び／または第２選択ボタン部１１６に備えられる表示ランプ（図示せず）がオンされることにより表示できる。第１選択ボタン部１１５と第２選択ボタン部１１６を通した消費者の選択がなされれば、制御ユニット１８０は冷温水供給ユニット１３０、製氷ユニット１６０及び１回用包装ミックス原料供給ユニット１４０を作動させ消費者が希望する飲料を供給されうるようにする。ここで、金銭ユニット１９０は省かれ、飲料供給装置１００は消費者に飲料を無償で供給することもできる。
【００２３】
以下、添付した図面に基づき本発明に係る飲料供給装置１００の作用について説明する。
【００２４】
飲料供給待機状態において消費者はカップ取出口１１３を通してカップ供給ユニット１５０に収納されているカップＣを取出し、第２選択ボタン部１１６の１回用包装ミックス原料ボタン１１６ａ、１１６ｂ、１１６ｃを押して所望の１回用包装ミックス原料ｐ１、ｐ２、ｐ３を選択する。１回用包装ミックス原料取出口１１２に選択された１回用包装ミックス原料が排出されれば、消費者は１回用包装ミックス原料内に入っている飲料原料を取り出したカップＣに入れた後、カップＣを飲料取出口１１１に位置させる。そして、消費者は第１選択ボタン部１１５に備えられたボタン１１５ａ、１１５ｂ、１１５ｃを用いて、カップＣに温水や冷水または氷を排出させることにより、ホット飲料や、コールド飲料またはアイス飲料など消費者の好みに応ずる飲料が供給される。
【００２５】
金銭ユニット１９０が取付けられた製品の場合は、金銭ユニット１９０を通して紙幣や硬貨などのお金を投入する。この際、入れられた金銭が所定金額以上になれば飲料供給装置１００は飲料供給待機状態になり、最終飲料販売後お釣りがある場合、消費者は返却レバー１９１を用いてお釣りが回収される。
【００２６】
【発明の効果】
以上述べた通り、本発明によれば飲料供給装置１００が各種１回用包装ミックス原料と、カップと、冷水と、温水と、氷を排出できるため、冷・温水、氷水、冷温飲料、アイス飲料など消費者の好みに確実に応じられる多様な飲料を供給することができる。
【００２７】
また、本発明によれば、飲料原料が一回用包装バッグとして投出されるため、従来の自動販売機のような飲料供給装置において頻繁な手入れや衛生上の問題なく清潔を維持することができる。
【００２８】
そして、カップの排出や飲料原料の混合が消費者により手動でなされるため、構造が複雑でなく製造コストを低減することができる飲料供給装置が具現可能になる。
【００２９】
また、金銭ユニット１９０の設置有無によって飲料を有無償で供給できるようにして設置場所による運営者の便利を図ることができる。
【００３０】
以上、本発明を本発明の原理を例示するための望ましい実施例について示しかつ説明したが、本発明はそのように示しかつ説明されたそのままの構成及び作用に限定されることではなく。かえって特許請求の範囲の思想及び範疇を逸脱せず、本発明に対する多数の変形及び修正が可能であることを当業者らはよく理解できろう。従って、その全ての適切な変形及び修正と均等物も本発明の範囲に属することと見做されるべきである。
【図面の簡単な説明】
【図１】本発明の望ましい実施例による飲料供給装置の構成を示す正面図である。
【図２】図１に示した本発明の望ましい実施例による飲料供給装置の水供給系統を示す構成図である。
【図３】図１に示した本発明の望ましい実施例による飲料供給装置の冷却ユニットの冷媒流動系統図である。
【図４】図１に示した本発明の望ましい実施例による飲料供給装置の構成示すブロック図である。
【符号の説明】
１００  飲料供給装置
１１０  本体
１２０  貯水タンク
１２２  給水バルブ
１３０  冷温水供給ユニット
１３１  冷水槽
１３２  温水槽
１４０  １回用包装ミックス原料供給ユニット
１５０  カップ供給ユニット
１６０  製氷ユニット
１７０  冷却ユニット
１８０  制御ユニット
１９０  金銭ユニット
【図１】
2004303182.tif 000003
【図２】
2004303182.tif 000004
【図３】
2004303182.tif 000005
【図４】
2004303182.tif 000006